(57)【要約】【目的】本発明は、ヒーター及びモーター等の駆動部に水や埃が入り込真無いために故障になりにくく、足下まで暖めることの可能な温風機を提供することを目的とするものである。【構成】本発明は、前面部及び後面部の下部が前後に突出した左右突出部を有する本体ケースと、前記本体ケース内にガイド部にガイドされて形成された通風経路、保持板により外部との接触を遮断された左右ドラム型ファン、モーター、セラミックヒーターと流入経路及び流出経路をガイドするとともに水抜き孔を穿設したガイド板とを設けたことを特徴とする簡易移動可能な防水型電気温風機の構成とした。る簡易移動可能な防水型電気温風機の構造とした。【選択図】  図４
2004332979.tif 000002
【特許請求の範囲】
【請求項１】
前面部及び後面部の下部が前後に突出した左右突出部を有する本体ケースと、前記本体ケース内にガイド部にガイドされて形成された通風経路、保持板により外部との接触を遮断された左右ドラム型ファン、モーター、セラミックヒーターと流入経路及び流出経路をガイドするとともに水抜き孔を穿設したガイド板とを設けたことを特徴とする簡易移動可能な防水型電気温風機。
【発明の詳細な説明】
【０００１】
【発明の属する技術分野】
本発明は、簡易な構造で移動することが可能な防水型の電気温風機の改良に関する発明である。
【０００２】
【従来の技術】
従来使用されている温風機としては、本体の下部にヒーター部が設置され、本体の上部に開口部が設けられ、本体内に吸い込んだ空気を本体下部のヒーターにより暖めることで、本体上部の開口部から温風を吹き出す構造の温風機が一般的である。
【０００３】
【発明が解決しようとする課題】
しかしながら、従来の温風機は開口部からヒーター部が直通しており、誤って温風機に水を掛けてしまった場合など、開口部から直接ヒーター部に水が流れ込み、ヒーター及びヒーターを駆動するためのモーター等の故障の原因となり易い。さらに、開口部から埃等が入り込み易く、ヒーター及びモーターの故障の原因となることも多い。
【０００４】
また、温風を吹き出す開口部が本体上部に設けられていることが多く、本体下部のヒーター部で暖めた空気を本体上部の開口部から吹き出すために、温風が室内の上空に向かって吹き出すことになる。そのため、室内の上空部分即ち人間の頭部付近のみに暖かい空気が集まり、足下がなかなか暖まらない場合が多い。
【０００５】
そこで、本発明は、ヒーター及びモーター等の駆動部に水や埃が入り込真無いために故障になりにくく、足下まで暖めることの可能な温風機を提供することを目的とするものである。
【０００６】
【課題を解決するための手段】
本発明は、上記の課題を解決するために、前面部及び後面部の下部が前後に突出した左右突出部を有する本体ケースと、前記本体ケース内にガイド部にガイドされて形成された通風経路、保持板により外部との接触を遮断された左右ドラム型ファン、モーター、セラミックヒーターと流入経路及び流出経路をガイドするとともに水抜き孔を穿設したガイド板とを設けたことを特徴とする簡易移動可能な防水型電気温風機の構成とした。
【０００７】
【実施例】
以下に、添付図面に基づいて、本発明である簡易移動可能な防水型電気温風機を詳細に説明する。図１及び図２は、本発明である簡易移動可能な防水型電気温風機の外観を示した図、図３及び図４は本発明である簡易移動可能な防水型電気温風機の内部構造を示した図である。
【０００８】
図１は本発明である簡易移動可能な防水型電気温風機の正面図、図２は本発明である簡易移動可能な防水型電気温風機の左側面図である。図１及び図２に示すように、本発明である簡易移動可能な防水型電気温風機１は、全体を本体ケース２に覆われた外観である。
【０００９】
防水型電気温風機１の全体を覆う本体ケース２は、前面部２ａの前面下部及び後面部２ｇの後面下部が前後に突出した左右突出部２ｂ、２ｈが形成されている。前面部２ａと後面部２ｇが接続する頂部２ｅは、Ｕ字形に丸みを帯びた形状に形成してある。
【００１０】
図１に示すように、前面部２ａの前面部下部の右突出部２ｂの下端２ｃと底板２ｄは接続されておらず間隙が形成されている。この間隙の部分が、温風を流出するための吹出口４である。図示しないが、背面も同様に後面部２ｇの突出した後面部下部の下端２ｉが底板２ｊに接続することなく間隙が形成されていて、前記間隙が電気温風機１内に空気を取り込むための吸込口４ａである。
【００１１】
図１に示すように、電気温風機１の本体ケース２の底板２ｄの下面の各コーナには、電気温風機１を支持するための脚３、３、３、３が下方に突出するように取り付けられている。
【００１２】
図２に示すように、本体ケース２の左側面部２ｆは、Ｕ字形に丸みを帯びた形状に形成されている。前面下部は前方向に、後面下部が後方向に突出するように形成してあるために、左側面部２ｆは左右下部が左方向及び右方向に突出し膨張している形状となっている。
【００１３】
図３は本発明である電気温風機の内部構造を示す左側面図、図４は本発明である電気温風機の内部構造を示す斜視図である。図３に示すように、本発明である電気温風機１は全体を本体ケース２に覆われている。
【００１４】
本発明である電気温風機１の内部構造は、図３及び図４に示すように、本体ケース２の上部に筒体状に形成されている左右ドラム型ファン７、７ａ、モーター８及びセラミックヒーター９が設置されている。
【００１５】
本体ケース２の下部の前方向及び後方向に突出するように形成されている前面下部に形成されている右突出部２ｂ内及び後面下部に形成されている左突出部２ｈ内にはガイド部６の下方に通風経路５が形成されている。
【００１６】
図４に示すように、ガイド部６の下部に形成されている通風経路５が形成されている。通風経路５は、流入経路５ａ、通風経路５ｂ、通風経路５ｃ及び流出経路５ｄである。
【００１７】
流入経路５ａは、本体ケース２の後面部２ｇに形成された吸込口４ａから本体ケース２の中央部までで折り返すＵ字型の第１流入ガイド６ａ、第１流入ガイド６ａ上部に形成されている。
【００１８】
中央部から後面下部までで折り返すＵ字型の第２ガイド部６ｂ、第２ガイド部の上部に形成され、後面下部から中央部までで折り返すＵ字型の第３ガイド部６ｃにより波形に形成されている。
【００１９】
第１ガイド部６ａ、第２ガイド部６ｂ、第３ガイド部６ｃにガイドされた流入経路５ａは、第３ガイド部に垂直に連設された仕切板６ｄにより上方向にガイドされた通風経路５ｂへと繋がる。
【００２０】
前記仕切板６ｄは、中央部よりもやや後面部２ｇ寄りに形成されたガイドで、本体ケース２内の通風経路を吸込口４ａから流入した冷風と、吹出口４から流出する温風とを混合させない役割も持っている。
【００２１】
仕切板６ｄの上端には、左ドラム型ファン７に添って湾曲した保持板６ｅが連接している。前記保持板６ｅは、後面部２ｇよりに連設されており、通風経路５ｂの上端を狭くすることで冷風の逆流を防いでいる。
【００２２】
保持板６ｅと仕切板６ｄにより区別された前面側のやや広い部分は電気温風機から吐き出される空気の通風経路５ｃである。通風経路５ｃは、吹出口４へと繋がる流出経路５ｄと連続した経路である。
【００２３】
流出経路５ｄは、第１流出ガイド６ｆ、第２流出ガイド６ｇ及び第３流出ガイド６ｈにガイドされ形成されている。即ち、仕切板６ｄと連設された前面側から中央部までで折り返すＵ字型の第１流出ガイド６ｆ、第１流出ガイドの下部に形成されている。
【００２４】
中央部から前面下部までで折り返すＵ字型の第２流出ガイド６ｇ、第２流出ガイド６ｇの下部に形成され、前面下部から中央部までで折返し吹出口４を形成するＵ字型の第３流出ガイド６ｈにより、流入経路５ａとは対称の波形に形成された流出経路５ｄである。
【００２５】
第２流入ガイド６ｂ、第３流入ガイド６ｃ、第１流出ガイド６ｆ及び第２流出ガイド６ｇの各折返し部分に穿設されている小孔は、水抜き孔１２、１２ａ、１２ｂ、１２ｃである。
【００２６】
前記水抜き孔１２、１２ａ、１２ｂ、１２ｃは吸込口４ａから吸い込んだ空気１０に多量の水分が含まれていた場合や、電気温風機１が転倒し水がかかった場合などに、本体ケース２内部に水が入り込む以前に、水を抜くためのものである。
【００２７】
図４に示すように、ガイド部６を形成する保持板６ｅの上部には、モーター８を中心に左端に左ドラム型ファン７、右端には右ドラム型ファン７ａがそれぞれ連設されている。また、保持板６ｅの下部には、セラミックヒーター９が取り付けられている。
【００２８】
このように、左右ドラム型ファン７、７ａ、モーター８及びセラミックヒーター９が本体ケース２内の上部に設置され、さらに左右ドラム型ファン７、７ａ及びモーター８は保持板６ｅによって外部との接触が極めて少なく形成されていることで、通風経路５ｂから空気１０ａが入り込む以外、外部から遮断された構造である。
【００２９】
左右ドラム型ファン７、７ａ及びモーター８が外部から遮断された構成であることと、ガイド部６に水抜き孔１２〜１２ｄが形成されていることにより、左右ドラム型ファン７、７ａ、モーター８、セラミックヒーター９の主要部への水の流入を防げる。
【００３０】
次に、図３及び図４に基づき、本発明である電気温風機内での空気の流れを説明する。本体ケース２上部に設置されたモーター８が駆動することで、左右ドラム型ファン７、７ａが回転を開始し、冷気を吸い上げ、温風を吹き出すという本体ケース２内での空気の流れが出来る。
【００３１】
流入経路５ａは第１流入ガイド６ａ、第２流入ガイド６ｂ及び第３流入ガイド６ｃにガイドされ波形状に形成された経路である。吸込口４ａから流入経路５ａに吸い込まれた冷気１０は、波形に形成された流入経路５ａを通過し、上部に向かって垂直に通風経路５ｂを通過する。
【００３２】
本体ケース２内に吸い込まれた冷気１０ａは、保持板６ｅと本体ケース２の後面部２ｇの間により上端が狭く形成された通風経路５ｂを通過し、左右ドラム型ファン７、７ａに吸い上げられる。
【００３３】
そして、保持板６ｅと本体ケース２の前面部の間に形成された通風経路５ｃよりセラミックヒーター９方向に吐き出される。図３中の符号１０ｂは、前記左ドラム型ファン７より吐き出された空気を示す。
【００３４】
左ドラム型ファン７よりセラミックヒーター９方向に吐き出された空気１０ｂは、セラミックヒーター９を通過することで温風１１へと変化し、温風１１は、左右ドラム型ファン７、７ａが作り出す空気の流れにより流出経路５ｄへと流し込まれる。
【００３５】
流出経路５ｄは、第１流出ガイド６ｆ、第２流出ガイド６ｇ、第３流出ガイド６ｈにガイドされ波形に形成された経路であり、温風１１がこの流出経路５ｄを通ることで、吹出口４から温風１１ａが、室内へと吐き出される。
【００３６】
本発明である簡易移動可能な電気温風機１は、図１から図４に示す通り、吹出口４が本体ケース２の最下部に形成されている。そのため吹出口４から吹き出される温風１１ａは、床面に添って送風されるので、主に電気温風機１前方周囲の床面を加温し室内を足下から暖め、温暖効果を得ることが出来る。
【００３７】
さらに、本発明である簡易移動可能な電気温風機１は、前面部２ａ及び後面部２ｇの下端２ｃ、２ｉが前後に突出した形状であるため、安定感があり転倒しにくい。
【００３８】
図５は、本発明である簡易移動可能な電気温風機の他の実施例の内部構造を示す斜視図である。本例の電気温風機１ａは、本体ケース２の前面下部に形成された吹出口４及び後面下部に形成された吸込口４ａにメッシュ状のフィルタ１３、１３ａを取り付けた。
【００３９】
前記メッシュ状のフィルタ１３を吸込口４ａに取り付けることで、冷気１０を吸込口４ａから吸い込む際に冷気１０と共に塵や埃が本体ケース２内に入り込むことを防ぐ。
【００４０】
また、吹出口４にもフィルタ１３ａを取り付けることで、空気中に含まれる埃等を更に取り除くことができるため、吹出口４から室内に吹き出される温風１１ａは、埃等を含まないきれいな空気となる。
【００４１】
【発明の効果】
本発明である簡易移動可能な電気温風機は、以上に説明したような構成であるから、以下の効果が得られる。第１に、本発明である簡易移動可能な電気温風機は、電気温風機全体を覆う本体ケースの上部に左右ドラム型ファン及びモーターが外部から遮断されているため、水や埃が左右ドラム型ファン及びモーターに入り込むことを防ぐことで、故障しにくい。
【００４２】
第２に、流入経路及び流出経路に水抜き孔が設けられているため、誤って電気温風機に水を掛けてしまった場合にも、通風経路に入り込むことなく、水を排除することが出来る。
【００４３】
第３に、本体下部から温風を吹き出すことで、足下を暖め、より高い温暖効果を得ることが出来るとともに、その形状から安定感があり転倒しにくい。
【図面の簡単な説明】
【図１】本発明である簡易移動可能な電気温風機の正面図である。
【図２】本発明である簡易移動可能な電気温風機の左側面図である。
【図３】本発明である簡易移動可能な電気温風機の内部構造を示す左側面図である。
【図４】本発明である簡易移動可能な電気温風機の内部構造を示す斜視図である。
【図５】本発明である簡易移動可能な電気温風機の他の実施例の内部構造を示す斜視図である。
【符号の説明】
１          電気温風機
１ａ        電気温風機
２          本体ケース
２ａ        前面部
２ｂ        右突出部
２ｃ        下端
２ｄ        底板
２ｅ        頂部
２ｆ        左側面部
２ｇ        後面部
２ｈ        左突出部
２ｉ        下端
２ｊ        底板
３          脚
４          吹出口
４ａ        吸込口
５          通風経路
５ａ        流入経路
５ｂ        通風経路
５ｃ        通風経路
５ｄ        流出経路
６          ガイド部
６ａ        第１流入ガイド部
６ｂ        第２流入ガイド部
６ｃ        第３流入ガイド部
６ｄ        仕切板
６ｅ        保持板
６ｆ        第１流出ガイド
６ｇ        第２流出ガイド
６ｈ        第３流出ガイド
７          左ドラム型ファン
７ａ        右ドラム型ファン
８          モーター
９          セラミックヒーター
１０          冷気
１０ａ        冷気
１０ｂ        空気
１１          温風
１１ａ        温風
１２〜１２ｃ  水抜き孔
１３、１３ａ  フィルタ
【図１】
2004332979.tif 000003
【図２】
2004332979.tif 000004
【図３】
2004332979.tif 000005
【図４】
2004332979.tif 000006
【図５】
2004332979.tif 000007